(57)【特許請求の範囲】
【請求項１】
収容部と、ヘルムホルツ共振器の底部と、を有する筐体と、
前記ヘルムホルツ共振器の容器と管部とを有し、前記収容部に収容される部材と、を備え、
前記底部は前記筐体と一体に形成され、
前記管部は前記容器と一体に形成され、
前記管部は前記収容部に向くように形成される、
ことを特徴とするヘッドアップディスプレイ装置。
【請求項２】
収容部と、ヘルムホルツ共振器の容器と管部と、を有する筐体と、
前記ヘルムホルツ共振器の底部を有し、前記筐体の外側に設けられる部材と、を備え、
前記管部と前記容器とは前記筐体と一体に形成され、
前記管部は前記収容部に向くように形成される、
ことを特徴とするヘッドアップディスプレイ装置。
【発明の詳細な説明】
【技術分野】
【０００１】
本発明は、ヘッドアップディスプレイ装置が発する音を低減する構造に関する。
【背景技術】
【０００２】
従来のヘッドアップディスプレイ装置として、特許文献１に開示されたものがある。このヘッドアップディスプレイ装置は、表示光を反射する反射鏡を回動させる機構を備えたものである。
【先行技術文献】
【特許文献】
【０００３】
【特許文献１】特開２０１０−２３０１５７号公報
【発明の概要】
【発明が解決しようとする課題】
【０００４】
しかしながら、反射鏡を回動させる機構の動作音が乗員に聞こえてヘッドアップディスプレイ装置の商品性を損なう場合がある、という課題があった。
【０００５】
本発明は、上述した課題に鑑みてなされたものであり、動作音が乗員に聞こえることを抑制するヘッドアップディスプレイ装置が提供する、ことが目的である。
【課題を解決するための手段】
【０００６】
本発明に係るヘッドアップディスプレイ装置は、収容部と、ヘルムホルツ共振器の底部と、を有する筐体と、前記ヘルムホルツ共振器の容器と管部とを有し、前記収容部に収容される部材と、を備え、前記底部は前記筐体と一体に形成され、前記管部は前記容器と一体に形成され、前記管部は前記収容部に向くように形成される、ことを特徴とする。
【０００７】
本発明に係るヘッドアップディスプレイ装置は、収容部と、ヘルムホルツ共振器の容器と管部と、を有する筐体と、前記ヘルムホルツ共振器の底部を有し、前記筐体の外側に設けられる部材と、を備え、前記管部と前記容器とは前記筐体と一体に形成され、前記管部は前記収容部に向くように形成される、ことを特徴とする。
【０００８】
（削除）
【０００９】
（削除）
【００１０】
（削除）
【発明の効果】
【００１１】
本発明によれば、動作音が乗員に聞こえることを抑制するヘッドアップディスプレイ装置が提供できる。
【図面の簡単な説明】
【００１２】
【図１】本発明の第１実施形態であるヘッドアップディスプレイ装置の構成概略図。
【図２】同ヘッドアップディスプレイ装置に設けられたヘルムホルツ共振器の構成を示す図。
【図３】本発明の第２実施形態であるヘッドアップディスプレイ装置に設けられたヘルムホルツ共振器の構成を示す図。
【図４】本発明の第３実施形態であるヘッドアップディスプレイ装置に設けられたヘルムホルツ共振器の構成を示す図。
【発明を実施するための形態】
【００１３】
本発明の実施形態であるヘッドアップディスプレイ装置を添付図面を参照して以下に説明する。
【００１４】
（第１実施形態）
ヘッドアップディスプレイ装置は、車両に搭載され、車両の風防ガラスに表示光Ｌを投射して、虚像を風防ガラス前方に表示する。虚像として表示されるのは、例えば、車両の走行速度やエンジン回転数や経路案内情報などの車両情報である。
【００１５】
ヘッドアップディスプレイ装置は、図１に示すように、表示光Ｌを発する表示手段１と、表示手段１が発した表示光Ｌを反射する反射鏡２，３と、表示手段１と反射鏡２，３とを収容する収容部４０を有する筐体４と、から構成される。
【００１６】
表示手段１は、例えば、画像を表示する液晶表示器である。表示手段１は、図示しない制御手段に制御されて、車両情報を表す表示光Ｌを反射鏡２に向けて出射する。
【００１７】
反射鏡２は、樹脂部材の表面に金属を蒸着させた平面の反射面を形成した反射鏡である。反射鏡２は、表示手段１が出射した表示光Ｌを反射鏡３に向けて反射する。この反射鏡２によって筐体４の収容部４０内で表示光Ｌを折り返すので、表示手段１から風防ガラスに至る表示光Ｌの光路長を長くできる。そのため、風防ガラスより前方に虚像が表示できる。
【００１８】
反射鏡３は、樹脂部材の表面に金属を蒸着させた凹面の反射鏡を形成した反射鏡である。反射鏡３は、反射鏡２が反射した表示光Ｌを風防ガラスに向けて反射する。反射鏡３は、凹面の反射面が形成されているため、表示光Ｌを拡大する効果が得られる。そのため、表示手段１の表示面が小さい廉価なものであっても、風防ガラスに虚像を大きく表示できる。
【００１９】
反射鏡３は、モーター（電動機）の回転運動を動力として、反射鏡３を回転軸３０を軸に回動可能とする駆動機構に接続されている。反射鏡３を回転軸３０を軸に回動することで、虚像を視認する車両の乗員の目の高さに合わせて、虚像を表示する位置を風防ガラスの上下方向に調整できる。
【００２０】
筐体４は、収容部４０に表示手段１と反射鏡２，３とを収容する樹脂製の筐体である。
【００２１】
筐体４の収容部４０には、管部Ｈｎｋを有する容器Ｈｃａｖを備えるヘルムホルツ共振器Ｈが、管部Ｈｎｋの開口部Ｈоｐが収容部４０に向くように収容されている。
【００２２】
ヘルムホルツ共振器Ｈは、所定の共振周波数と共振して、吸音する効果を有する。この共振周波数は、容器Ｈｃａｖの体積Ｖと、開口部Ｈоｐの断面積Ｓと、管部Ｈｎｋの長さＬを、適宜設定することによって制御できる。
【００２３】
ヘルムホルツ共振器Ｈは、ヘッドアップディスプレイ装置の動作音の所定の周波数に対応する所定の共振周波数と共振するように設計されている。ヘッドアップディスプレイ装置の動作音は、例えば、反射鏡３を回動させる駆動機能の動力となるモーターの動作音や、モーターの動力を伝えるギアなどの伝達機構の動作音である。
【００２４】
ヘルムホルツ共振器Ｈは、図１、２のように、第１部材Ｈ１ａと第２部材Ｈ２ａとに分割して構成する。
【００２５】
図１、２に示すように、第１部材Ｈ１ａは、筐体４に一体に形成されたヘルムホルツ共振器Ｈの容器Ｈｃａｖの底部となる部材である。第２部材Ｈ２ａはヘルムホルツ共振器Ｈの容器Ｈｃａｖの底部以外の部位を有する樹脂部材である。この第１部材Ｈ１ａに第２部材Ｈ２ａとがフック等により係合することにより、ヘルムホルツ共振器Ｈが形成される。このように構成することで、第２部材Ｈ２ａの形状により容器Ｈｃａｖの体積Ｖと、開口部Ｈоｐの断面積Ｓと、管部Ｈｎｋの長さＬと、が決定される。つまり、第２部材Ｈ２ａの変更によりヘルムホルツ共振器Ｈが共振する所定の共振周波数を変更できる。
【００２６】
（第２実施形態）
また、ヘルムホルツ共振器Ｈは、図３のように、第１部材Ｈ１ｂと第２部材Ｈ２ｂのように構成してもよい。図３に示すように、第１部材Ｈ１ｂは、筐体４に一体に形成されたヘルムホルツ共振器Ｈの容器Ｈｃａｖの底部と側壁となる部材である。第２部材Ｈ２ｂはヘルムホルツ共振器Ｈの容器Ｈｃａｖの底部と側壁以外の部位を有する樹脂部材である。この第１部材Ｈ１ｂと第２部材Ｈ２ｂとがフック等により係合することにより、ヘルムホルツ共振器Ｈが形成される。
【００２７】
（第３実施形態）
また、ヘルムホルツ共振器Ｈは、図４のように、第１部材Ｈ１ｃと第２部材Ｈ２ｃのように構成してもよい。図４に示すように、第１部材Ｈ１ｃは、筐体４に一体に形成されたヘルムホルツ共振器Ｈの開口部Ｈоｐを有する管部Ｈｎｋとなる部材である。第２部材Ｈ２ｃはヘルムホルツ共振器Ｈの容器Ｈｃａｖの底部と側壁となる樹脂部材である。この第１部材Ｈ１ｃと第２部材Ｈ２ｃとがフック等により係合することにより、ヘルムホルツ共振器Ｈが形成される。第３実施形態においては第２部材Ｈ２ｃは筐体４の外側に設けられ第１部材Ｈ１ｃとが係合する。このように構成することで、筐体４を開閉することなく第２部材Ｈ２ｃを交換してヘルムホルツ共振器Ｈが共振する所定の共振周波数を変更できる。
【００２８】
これら第１〜第３実施形態のように、ヘルムホルツ共振器Ｈを第１部材と第２部材とに分割することで、表示手段１、反射鏡２，３などのヘッドアップディスプレイ装置の光学系を構成する各部材を筐体４に収容した状態で生じる異音を解析した後に、適切なヘルムホルツ共振器Ｈを後付けで設計してヘッドアップディスプレイ装置に設けることができる。
【００２９】
以上のように、本発明に係る実施形態のヘッドアップディスプレイ装置は、ヘルムホルツ共振器Ｈを有する。
このように構成することで、ヘッドアップディスプレイ装置の動作音が乗員に聞こえることを抑制できる。
【００３０】
本発明は、上述した実施形態（図面の内容を含む）によって限定されない。本発明の主旨に従う範囲で、上記の実施形態に変更（構成要素の削除も含む）を加えることができる。
【００３１】
例えば、ヘルムホルツ共振器Ｈは、反射鏡３を回動させる動作音に共振するものに限らず、ヘッドアップディスプレイ装置が発する種々の動作音に対応するものとしてもよい。また、動作音はモーター音に限らず、モーターの動力を伝達する各種ギアなどの機構の動作音などであってもよい。
【００３２】
また、ヘルムホルツ共振器Ｈは、ヘッドアップディスプレイ装置が発する動作音を乗員に聞こえないように吸音する目的で設けられる。そのため、ヘルムホルツ共振器Ｈは、開口部Ｈоｐを動作音を発する部材に向けた状態で、動作音を発する部材と乗員との間に設けられることが好ましい。
【産業上の利用可能性】
【００３３】
本発明は、車両に搭載されるヘッドアップディスプレイ装置として好適である。
【符号の説明】
【００３４】
１      ：表示手段
２、３  ：反射鏡
４      ：筐体
４０    ：収容部
Ｈ      ：ヘルムホルツ共振器
Ｈｃａｖ：容器
Ｈｎｋ  ：管部
Ｈоｐ  ：開口部
Ｈ１ａ，Ｈ１ｂ，Ｈ１ｃ：第１部材
Ｈ２ａ，Ｈ２ｂ，Ｈ２ｃ：第２部材
【図１】
0006772484.tif 000002
【図２】
0006772484.tif 000003
【図３】
0006772484.tif 000004
【図４】
0006772484.tif 000005